(57)【要約】【課題】  伝票用紙に、その記載項目である記載情報を、ユーザが自ら手書きで記入する手間を省くことができる印刷装置等を提供することをその課題とする。【解決手段】  画像を読取るイメージリーダ１１と、イメージリーダ１１によって読取った画像データにシンボル画像のデータが有るか無いかを判別する判別手段２３と、判別手段２３によってシンボル画像のデータ「有」と判定された場合、シンボル画像のデータをデコードするデコード手段２４と、判別手段２３によってシンボル画像のデータ「有」と判定された場合、デコード手段２４によってデコードして得られたテキストデータを伝票用紙の所定領域に印刷するための印刷データを生成するとともに、シンボル画像のデータ「無」と判定された場合、画像データを伝票用紙に印刷するための印刷データを生成する印刷データ生成手段２６と、生成された印刷データを印刷する印刷手段２７と、を備えたものである。【選択図】  図２
2006142684.tif 000002
【特許請求の範囲】
【請求項１】
伝票用紙へ印刷を行う印刷装置であって、
画像を読取るイメージリーダと、
前記イメージリーダによって読取った画像データに、シンボル画像のデータが有るか無いかを判別する判別手段と、
前記判別手段によって前記シンボル画像のデータ「有」と判定された場合、前記シンボル画像のデータをデコードするデコード手段と、
前記判別手段によって前記シンボル画像のデータ「有」と判定された場合、
前記デコード手段によってデコードして得られたテキストデータを前記伝票用紙の所定領域に印刷するための印刷データを生成するとともに、
前記シンボル画像のデータ「無」と判定された場合、前記画像データを前記伝票用紙に印刷するための印刷データを生成する印刷データ生成手段と、
生成された前記印刷データを印刷する印刷手段と、を備えたことを特徴とする印刷装置。
【請求項２】
表示部をさらに備え、
前記表示部は、前記テキストデータを画面上に表示することを特徴とする請求項１に記載の印刷装置。
【請求項３】
前記伝票用紙は、配送先および配送元の記載項目を含む宅配伝票用紙であり、
操作入力部と、
前記操作入力部の操作入力と連動し、前記デコード手段のデコード結果であるテキストデータを、前記宅配伝票用紙の少なくとも前記配送先項目として印刷するか、前記配送元項目として印刷するかを特定する印刷領域特定手段と、をさらに備え、
前記判別手段により、前記シンボル画像のデータ「有」と判定された場合、
前記印刷データ生成手段は、前記印刷領域特定手段の特定結果に基づいて、前記テキストデータを、前記宅配伝票用紙の対応する記載項目の領域に印刷するための、印刷データを生成することを特徴とする請求項１または２に記載の印刷装置。
【請求項４】
前記印刷領域特定手段は、前記イメージリーダによって読取った画像データを、前記宅配伝票用紙の少なくとも前記配送先項目として印刷するか、前記配送元項目として印刷するかを特定し、
前記判別手段により、前記シンボル画像のデータ「無」と判定された場合、
前記印刷データ生成手段は、前記印刷領域特定手段の特定結果に基づいて、前記画像データを前記宅配伝票用紙の対応する記載項目の領域に印刷するための、印刷データを生成することを特徴とする請求項３に記載の印刷装置。
【請求項５】
前記イメージリーダによって読取った前記画像データの一部を切り取るトリミング手段をさらに有し、
前記印刷データ生成手段は、前記印刷領域特定手段の特定結果に基づいて、前記トリミング手段によって切り取った画像データを前記宅配伝票用紙の対応する記載項目の領域に印刷するための、印刷データを生成することを特徴とする請求項３または４に記載の印刷装置。
【請求項６】
前記デコード手段によってデコードして得られたテキストデータには、前記記載項目を識別するための識別子が含まれており、
前記識別子を検出するための識別情報を記憶する記憶手段と、
前記印刷領域特定手段の特定結果に基づいて、前記識別子と前記識別情報を照合することにより、対応する記載項目のテキストデータを抽出する抽出手段と、をさらに備え、
前記印刷データ生成手段は、抽出した前記テキストデータを前記宅配伝票用紙の対応する領域に印刷するための、印刷データを生成することを特徴とする請求項３ないし５のいずれか１項に記載の印刷装置。
【請求項７】
画像を読取るイメージリーダと、
前記イメージリーダによって読取った画像データに、シンボル画像のデータが有るか無いかを判別する判別手段と、
前記判別手段によって前記シンボル画像「有」と判定された場合、前記シンボル画像をデコードするデコード手段と、
前記判別手段によって前記シンボル画像「有」と判定された場合、前記デコード手段によってデコードしたテキストデータを印刷するとともに、
前記判別手段によって前記シンボル画像「無」と判定された場合、前記画像データを印刷する印刷手段と、を備えたことを特徴とする印刷装置。
【請求項８】
表示部をさらに備え、
前記表示部は、前記テキストデータを画面上に表示することを特徴とする請求項７に記載の印刷装置。
【請求項９】
画像を読取るステップと、
読取った画像データに、シンボル画像のデータが有るか無いかを判別するステップと、
前記シンボル画像「有」と判定した場合、前記シンボル画像をデコードし、デコードしたテキストデータを印刷するステップと、
前記シンボル画像「無」と判定した場合、前記画像データを印刷するステップと、を備えたことを特徴とする印刷装置の印刷方法。
【請求項１０】
コンピュータを、請求項１ないし８のいずれか１項に記載の印刷装置における各手段として機能させるためのプログラム。
【請求項１１】
コンピュータに、請求項９に記載の印刷装置の印刷方法における各ステップを実行させるためのプログラム。
【発明の詳細な説明】
【技術分野】
【０００１】
本発明は、伝票用紙へ印刷を行う印刷装置、印刷装置の印刷方法、およびプログラムに関するものである。
【背景技術】
【０００２】
従来、手書きによる記載を必要とする伝票用紙は多数存在するが、例えば宅配物の配送を依頼する場合、利用者は、コンビニエンス・ストアや宅配会社の営業所に宅配物を直接持ち込んだり、電話やインターネットで自宅への集荷を依頼したりしている（例えば、特許文献１参照）。この際、いずれの場合においても、宅配物に貼付する宅配伝票の記載が必要となる。
【０００３】
例えば前者の場合、利用者は、宅配物を持ち込んだ先で宅配伝票を受け取り、利用者の住所・氏名・電話番号、並びに配送先の住所・氏名・電話番号、その他、配送指定時間、品名等の必要事項を記入しなければならず、配送先が複数の場合は、その配送先の数だけ宅配伝票への記入が必要となる。このため、宅配伝票の記入に時間がかかり効率が悪いだけでなく、特にコンビニエンス・ストア等では、少ない人員で顧客対応をする場合が多く、配送受付処理が終了するまで他の会計処理が中断され、他の顧客にも迷惑を掛けてしまうといった問題があった。また、後者の場合も、集荷担当者が自宅に到着した際に宅配伝票を受け取り、利用者がその場で記入するため、利用者にとっても、また集荷担当者にとっても時間のロスが大きく、処理効率が悪いといった問題があった。
【特許文献１】特開平１０−２４５０９４号公報（第２−３頁、第２図）
【発明の開示】
【発明が解決しようとする課題】
【０００４】
本発明は、上記の問題点に鑑み、伝票用紙に、その記載項目である記載情報を、ユーザが自ら手書きで記入する手間を省くことができる印刷装置、印刷装置の印刷方法、およびプログラムを提供することをその課題とする。
【課題を解決するための手段】
【０００５】
本発明の印刷装置は、伝票用紙へ印刷を行う印刷装置であって、画像を読取るイメージリーダと、イメージリーダによって読取った画像データに、シンボル画像のデータが有るか無いかを判別する判別手段と、判別手段によってシンボル画像のデータ「有」と判定された場合、シンボル画像のデータをデコードするデコード手段と、判別手段によって前記シンボル画像のデータ「有」と判定された場合、デコード手段によってデコードして得られたテキストデータを伝票用紙の所定領域に印刷するための印刷データを生成するとともに、シンボル画像のデータ「無」と判定された場合、画像データを伝票用紙に印刷するための印刷データを生成する印刷データ生成手段と、生成された前記印刷データを印刷する印刷手段と、を備えたことを特徴とする。
【０００６】
この構成によれば、伝票用紙に記載するための情報が記載された記載用紙の画像を読取り、読取った画像データを伝票用紙に印刷するため、利用者が自ら伝票用紙へ必要事項を手書きで記入する手間を省くことができる。また、記載用紙を読取らせるだけでよいので、キーボード等による面倒な入力作業も必要なく利用者の負担をさらに軽減することができる。また、印刷装置は伝票用紙に記載するための情報をコード化（エンコード）したシンボル画像を読取り、デコードしたテキストデータを印刷することもできるので、必要事項をシンボル画像として格納し、これを印刷装置に読取らせて印刷するといった利用も可能である。このとき、印刷装置が読取った画像データにシンボル画像が含まれるか否かを自動判別するので、利用者が読取り対象としてシンボル画像を指定する手間をも省くことができ、さらに便利である。また、「シンボル画像」とは、任意のシンボルコード体系（シンボロジー）に合わせて、情報をコード化（エンコード）した画像を指すものであり、バーコードや２次元コード（ＱＲコード、Ｍａｘｉコード、Ｖｅｒｉコード、データマトリクス、ＰＤＦ４１７等）などがその一例として挙げられる。また、「シンボル画像をデコードする」とは、シンボル画像をテキストデータに変換することを指すものである。
【０００７】
この場合、表示部をさらに備え、表示部は、テキストデータを画面上に表示することが好ましい。
【０００８】
この構成によれば、シンボル画像をデコードしたテキストデータを画面上に表示するため、利用者は画面上でテキストデータの内容を確認することができる。
【０００９】
また、これらの場合、伝票用紙は、配送先および配送元の記載項目を含む宅配伝票用紙であり、操作入力部と、操作入力部の操作入力と連動し、デコード手段のデコード結果であるテキストデータを、宅配伝票用紙の少なくとも配送先項目として印刷するか、配送元項目として印刷するかを特定する印刷領域特定手段と、をさらに備え、判別手段により、シンボル画像のデータ「有」と判定された場合、
印刷データ生成手段は、印刷領域特定手段の特定結果に基づいて、テキストデータを、宅配伝票用紙の対応する記載項目の領域に印刷するための、印刷データを生成することが好ましい。
【００１０】
この構成によれば、宅配伝票用紙の記載項目となる、配送先項目あるいは配送元項目の情報を、シンボル画像として格納しておくことによって、利用者自らが手書きで配送先項目または配送元項目の情報を記入する手間を省くことができる。
さらに、読取らせた情報を、少なくとも配送先項目あるいは配送元項目として印刷するかを、ユーザによる操作入力と連動して特定することができるので、印刷装置は、宅配伝票用紙の対応する記載項目の領域に、シンボル画像から読取った情報を印刷することができる。
【００１１】
この場合、印刷領域特定手段は、イメージリーダによって読取った画像データを、宅配伝票用紙の少なくとも配送先項目として印刷するか、配送元項目として印刷するかを特定し、判別手段により、シンボル画像のデータ「無」と判定された場合、印刷データ生成手段は、印刷領域特定手段の特定結果に基づいて、画像データを宅配伝票用紙の対応する記載項目の領域に印刷するための、印刷データを生成することが好ましい。
【００１２】
この構成によれば、読取った画像データについて、少なくとも配送先項目あるいは配送元項目として印刷するかを、ユーザによる操作入力と連動して特定することができるので、例えば、配送先情報が記載された領域を読取り、読取った画像データを、宅配伝票用紙の配送先項目の領域に印刷することができるので便利である。
【００１３】
また、これらの場合、イメージリーダによって読取った画像データの一部を切り取るトリミング手段をさらに有し、印刷データ生成手段は、印刷領域特定手段の特定結果に基づいて、トリミング手段によって切り取った画像データを宅配伝票用紙の対応する記載項目の領域に印刷するための、印刷データを生成することが好ましい。
【００１４】
この構成によれば、読取った画像データから、印刷領域特定手段の特定結果に基づいて、必要な画像データを切り取ることができるので、例えば、配送先項目として印刷することがユーザによって操作入力された場合、印刷装置は、配送先項目の情報が記載されている領域を切り取って、宅配伝票用紙の配送先項目領域に印刷することができる。従って、前回利用分の宅配伝票を読取らせる場合に、配送先項目あるいは配送元項目の情報が変更するときなどに便利である。
【００１５】
さらに、これらの場合、デコード手段によってデコードして得られたテキストデータには、記載項目を識別するための識別子が含まれており、識別子を検出するための識別情報を記憶する記憶手段と、印刷領域特定手段の特定結果に基づいて、識別子と識別情報を照合することにより、対応する記載項目のテキストデータを抽出する抽出手段と、をさらに備え、印刷データ生成手段は、抽出した前記テキストデータを宅配伝票用紙の対応する領域に印刷するための、印刷データを生成することが好ましい。
【００１６】
この構成によれば、シンボル画像をデコードすることによって得られたテキストデータから、印刷領域特定手段の特定結果に基づいて、必要なテキストデータを抽出することができるので、例えば、配送先項目として印刷することがユーザによって操作入力された場合、印刷装置は、デコードしたテキストデータから、配送先項目の情報に相当するテキストデータを抽出して、宅配伝票用紙の配送先項目領域に印刷することができる。従って、配送先情報及び配送元情報の双方の情報が格納された前回利用分のシンボル画像を再度利用する場合、配送先項目あるいは配送元項目の情報が変更するときなどに便利である。
【００１７】
本発明の他の印刷装置は、画像を読取るイメージリーダと、イメージリーダによって読取った画像データに、シンボル画像のデータが有るか無いかを判別する判別手段と、判別手段によってシンボル画像「有」と判定された場合、シンボル画像をデコードするデコード手段と、判別手段によってシンボル画像「有」と判定された場合、デコード手段によってデコードしたテキストデータを印刷するとともに、判別手段によってシンボル画像「無」と判定された場合、画像データを印刷する印刷手段と、を備えたことを特徴とする。
【００１８】
また、本発明の他の印刷装置の印刷方法は、画像を読取るステップと、読取った画像データに、シンボル画像のデータが有るか無いかを判別するステップと、シンボル画像「有」と判定した場合、シンボル画像をデコードし、デコードしたテキストデータを印刷するステップと、シンボル画像「無」と判定した場合、画像データを印刷するステップと、を備えたことを特徴とする。
【００１９】
これらの構成によれば、読取った画像データと、シンボル画像のデコード結果であるテキストデータと、の双方を一台の印刷装置で印刷することができる。また、印刷装置が読取った画像にシンボル画像が含まれるか否かを自動判別するので、利用者が読取り対象としてシンボル画像を指定する手間をも省くことができさらに便利である。また、印刷媒体として宅配伝票、医療用の検体ラベル、封筒等に印刷が可能であり、これらに氏名や住所等を印刷する場合に便利である。
【００２０】
この場合、表示部をさらに備え、表示部は、テキストデータを画面上に表示することが好ましい。
【００２１】
この構成によれば、シンボル画像をデコードしたテキストデータを画面上に表示するため、利用者は画面上でテキストデータの内容を確認することができる。
【００２２】
本発明のプログラムは、コンピュータを、上記のいずれか１項に記載の印刷装置における各手段として機能させるためのものであることを特徴とする。
【００２３】
また、本発明の他のプログラムは、コンピュータに、上記に記載の印刷装置の印刷方法における各ステップを実行させるためのものであることを特徴とする。
【００２４】
これらの構成によれば、伝票用紙に、利用者が自ら必要事項を記入する手間を省くためのプログラムを提供することが可能となる。
【発明を実施するための最良の形態】
【００２５】
以下、本発明の一実施形態に係る印刷装置、印刷装置の印刷方法、およびプログラムについて、添付図面を参照しながら詳細に説明する。本発明の印刷装置は伝票用紙へ印刷を行うものであり、以下、宅配伝票用紙に印刷を行う印刷装置に適用して説明する。
【００２６】
図１は、本実施形態に係る印刷装置１０の外観斜視図である。印刷装置１０は、サーマル印刷方式のラベルプリンタであり、記載用紙（例えば前回送った宅配伝票の控等）の画像、および記載用紙の記載情報がコード化され、例えば携帯電話８０の画面上に表示されたシンボル画像Ｂ、を読取り可能なイメージリーダ１１と、表示部となるディスプレイ１２と、印刷済みのサーマル紙Ｓａを排出する排出口１３と、宅配伝票用紙Ｓの配送先項目および配送元項目といった記載項目のうち、どの項目を印刷するかを指定するための操作を行う操作入力部１５を装置ケース１６上に備えている。
【００２７】
サーマル紙Ｓａは、長尺状の台紙Ｓａ１上に、宅配伝票用紙Ｓとなる所定サイズのサーマルラベルＬが等間隔で配置されたものであり、巻回された状態で装置内部に収容されている。サーマル紙Ｓａは、印刷後装置外部に繰出されると、排出口１３付近に配置された切断機構（図示省略）によりその台紙Ｓａ１部分が幅方向に切断される。そして、台紙Ｓａ１からサーマルラベルＬが剥がされ、宅配物に貼付されることにより宅配伝票として利用される。
【００２８】
イメージリーダ１１は、ＣＭＯＳセンサ或いはＣＣＤセンサといったイメージセンサを用いた画像読取装置であり、撮像を行う撮像部１１ａと撮像台１１ｂとから構成され、印刷装置１０本体に組込まれている。さらに、撮像部１１ａ下部には、撮像対象物をセットするための押え１１ｃが配設し、撮像対象物を撮像部１１ａと押え１１ｃとの間に挟み込み、読取り面を撮像部１１ａに貼り付ける様にセットすることによって、イメージリーダ１１（撮像部１１ａ）は撮像対象物の画像の読取りを行う。さらに、撮像対象物としてシンボル画像Ｂを読取ることも可能である。
【００２９】
なお、イメージリーダ１１の撮像部１１ａのサイズは、宅配伝票用紙Ｓ（図４参照）の配送先項目欄Ｓ１または配送元項目欄Ｓ２の大きさと略同一であり、撮像対象物として例えば前回送った宅配伝票を読取らせる場合には、宅配伝票左辺を下側にして、読取り対象となる項目欄が撮像部１１ａに貼り付けられる様に宅配伝票をセットする。
【００３０】
表示部となるディスプレイ１２は、液晶表示装置であり、シンボル画像Ｂをデコードして得られた、配送先または配送元となるアドレス情報、すなわち住所、氏名、電話番号といったテキストデータを漢字および仮名表示する。また、ディスプレイ１２右部には、ディスプレイ１２を上下又左右にスクロール表示させるスクロールボタン１２ａが配置しスクロールボタン１２ａの押下によってディスプレイ１２を上下左右にスクロールさせ、表示されたテキストデータ全体を視認可能に構成されている。また、ディスプレイ１２は、テキストデータの表示の他にも、画像読み取りが失敗したときなどの各種エラー表示に用いられる。
【００３１】
操作入力部１５は主にボタンによって構成され、宅配伝票用紙Ｓの配送先項目および配送元項目といった記載項目のうち、どの項目を印刷するかを入力するための入力ボタン１５ａの他、イメージリーダ１１による読み取りを開始させるための開始ボタン１５ｂを備えている。
【００３２】
また、特に図示しないが、印刷装置１０は、宅配伝票用紙Ｓに印刷を行うための印刷手段２９（図２参照）として、サーマル印刷方式の印刷ヘッド、用紙送り機構、搬送路等をその内部に収容しており、印刷ヘッドによる印刷と用紙送り機構による用紙送りを同期して駆動することにより印刷を行う。
【００３３】
さらに、印刷装置１０内部には、ＣＰＵ、ＲＯＭ、ＣＧ−ＲＯＭおよびＲＡＭ等から成る制御部１７を収容しており、この制御部１７によって、印刷装置１０における各種処理が統括制御される。また、ＲＯＭには、宅配伝票用紙Ｓの各記載項目の領域に関する情報である印刷領域情報を記憶しており、ＲＡＭには、読取った画像データおよびデコードしたテキストデータが一時的に格納される。なお、「印刷領域情報」とは、宅配伝票用紙Ｓの各記載項目の領域に関する情報であり、例えば「用紙上下左右の端を基点としてそれぞれ何ミリの領域である」といった情報を始め、各領域における印刷開始位置、改行位置、印刷終了位置等を決定するための情報が含まれる。
【００３４】
一方、携帯電話８０は、印刷装置１０の読取り対象となるシンボル画像Ｂを生成するものである。利用者（配送依頼者）は必要に応じて、自身が保有する携帯電話８０に搭載されたアドレス帳機能を利用して、配送先または配送元となる情報（住所、電話番号、氏名等のデータ）を指定する。アドレス帳機能としては、知人の住所や電話番号等の一覧を表示する「住所録メニュー」表示機能、並びに配送依頼者自身の情報を表示する「プロフィール」表示機能を有しており、例えば携帯電話保有者（本人）が配送依頼を行う場合、「住所録メニュー」の中から配送先を、「プロフィール」の中から配送元を指定してそれぞれの情報をコード化（エンコード）することで、各情報のシンボル画像Ｂを生成する。そして、生成したシンボル画像Ｂを表示画面８１上に表示させ、印刷装置１０のイメージリーダ１１に読取らせる。なお、携帯電話８０に画面表示されたシンボル画像Ｂに限らず印刷出力されたシンボル画像Ｂを印刷装置１０に読み取らせる構成でもよい。
【００３５】
また、携帯電話８０に代えて、ＰＨＳ（Personal Handy-phone System）や、ＰＤＡ（Personal Digital Assistant）など、携帯可能な情報端末を用いて、シンボル画像Ｂを表示させることも可能である。また、「シンボル画像」とは、任意のシンボルコード体系（シンボロジー）に合わせて、情報をコード化（エンコード）した画像を指すものであり、上記の２次元コード以外に、バーコードがその一例として挙げられる。また、２次元コードとしては、図示したＱＲコード以外にも、Ｍａｘｉコード、Ｖｅｒｉコード、データマトリクス、ＰＤＦ４１７等などを利用可能である。
【００３６】
次に、印刷装置１０の機能構成について、図２の機能ブロック図を参照して説明する。同図に示すように、印刷装置１０は、イメージリーダ１１およびディスプレイ１２に加え、読取った画像データに含まれるシンボル画像Ｂのデータの有無を判別する判別手段２３と、判別手段２３によって、読み取った画像データにシンボル画像Ｂが含まれると判定された場合に、シンボル画像Ｂのデータをデコードするデコード手段２４と、を備えている。
【００３７】
判別手段２３は、イメージリーダ１１によって読取られ、印刷装置１０のＲＡＭ上に一時的に格納された画像データにシンボル画像Ｂが含まれるか否かを判別するものである。この判別手段は、例えばＱＲコードの３つのコーナーに設けられたマーカ、あるいはマキシコードの中央部の円などを検索して、シンボル画像Ｂの有無を判別する。そして、判別手段２３によって、読取った画像データにシンボル画像Ｂが含まれると判定された場合、デコード手段２４は、シンボル画像Ｂをデコードする。この処理は、印刷装置１０に内蔵されたデコーダによって行われる。尚、際立ったマーカが無いシンボル画像Ｂについては、上記判別手段２３は、デコード手段２４と一体に機能する構成でも良い。
【００３８】
さらに、印刷装置１０は、操作入力部１５（入力ボタン１５ａ）と、操作入力部１５に連動して、印刷領域を特定する印刷領域特定手段２５と、印刷領域特定手段２５の特定結果に基づいて印刷データを生成する印刷データ生成手段２６と、生成した印刷データを宅配伝票用紙Ｓに印刷する印刷手段２７と、を備えている。
【００３９】
操作入力部１５（入力ボタン１５ａ）は、印刷する記載項目を、「１．配送先項目のみ」「２．配送元項目のみ」の２つの選択肢からいずれか１を選択するものであり、入力ボタン１５ａの１回の押下によって選択肢が切替わる構成となっている。そして、印刷領域特定手段２５は、操作入力部１５（入力ボタン１５ａ）の入力に連動して、宅配伝票用紙Ｓの対応する記載項目の領域を印刷領域として特定する。なお、現在選択している選択肢をディスプレイに表示することが好ましい。これにより利用者は、現在選択している印刷対象項目を容易に視認することができる。
【００４０】
印刷データ生成手段２６は、印刷領域特定手段２５の特定結果に基づいて、イメージリーダ１１によって読取った画像データおよびデコード手段２４によってデコードされたテキストデータに、印刷対象として指定された記載項目の印刷領域情報を参照して印刷開始位置や改行位置（テキストデータのみ）等を表すコマンドを付加することによって印刷データを生成する。なお、読取った画像データを、その大きさに応じて、宅配伝票用紙Ｓの各記載項目の領域に合わせて、拡大または縮小させる構成でもよい。さらにこの場合、ユーザが拡大率および縮小率を指定可能に構成してもよい。
【００４１】
印刷手段２９は、印刷データ生成手段２６によって生成された印刷データを宅配伝票用紙Ｓ（サーマルラベルＬ）へ印刷する。なお、本実施形態では、印刷装置１０はサーマルラベルＬに印刷を行うサーマル印刷方式のラベルプリンタを想定しているが、さらに印刷方式としてワイヤドット方式を採用し、複写用紙とサーマル紙との２種類の宅配伝票用紙に印刷可能なハイブリッドプリンタとしてもよい。これにより、従来から利用されている複写式の宅配伝票用紙にも印刷を行うことが可能となり便利である。
【００４２】
次に、図３のフローチャートを参照し、印刷装置１０による宅配伝票用紙Ｓへの印刷処理手順について説明する。始めに、利用者によって操作入力部１５を介して印刷領域とする記載項目を入力する（Ｓ０１）。すると、印刷領域特定手段２５は、対応する宅配伝票用紙Ｓの記載項目の領域を印刷領域として特定する（Ｓ０２）。その後、利用者による開始ボタン１５ｂの押下をトリガとして、イメージリーダ１１は、撮像対象物Ｐの画像読取りを開始する（Ｓ０３）。次に、判別手段２３によって読取った画像データに含まれるシンボル画像Ｂの有無が判別される（Ｓ０４）。そして、シンボル画像Ｂが含まれると判定された場合（Ｓ０４：Ｙｅｓ）、さらにデコード処理が行われる（Ｓ０５）。
【００４３】
デコード処理が行われた後、印刷データ生成手段２６は、印刷領域特定手段２５の特定結果に基づいて、デコードして得られたテキストデータを、特定した印刷領域に印刷するための印刷データを生成する（Ｓ０６）。一方、シンボル画像Ｂが含まれないと判定された場合（Ｓ０４：Ｎｏ）、印刷データ生成手段２６は、印刷領域特定手段２５の特定結果に基づいて、読取った画像データを特定した印刷領域に印刷するための印刷データを生成する（Ｓ０７）。その後、印刷手段２７は、生成した印刷データを宅配伝票用紙Ｓの対応する記載項目の領域に印刷する（Ｓ０８）。
【００４４】
さらに、宅配伝票用紙Ｓへの印刷内容について、図４および図５の印刷結果例を参照して説明する。図４は、前回利用分の宅配伝票を読取った場合の印刷結果例、図５は、配送先情報がコード化されたシンボル画像Ｂを読取った場合の印刷結果例を示している（図４では、印刷領域とする記載項目として「１．配送先項目のみ」が、図５では印刷領域とする記載項目として「２．配送元項目のみ」が選択されていることを想定）。
【００４５】
両図に示すように、サーマル紙Ｓａは、依頼主控用Ｌ１、受付店舗控用Ｌ２、宅配物貼付用Ｌ３がそれぞれ異なるラベルＬ上に印刷されるようになっており、一般に「宅配ラベル」と称されるものである。また、イメージリーダ１１によって読取った画像データ、或いはシンボル画像Ｂをデコードして得られたテキストデータが、利用者によって特定された印刷領域、すなわち配送先項目欄Ｓ１あるいは配送元項目欄Ｓ２に印刷される。
【００４６】
このように、印刷装置１０では、宅配伝票用紙Ｓに記載する配送先項目または配送元項目の情報を印刷するため、利用者による宅配伝票Ｓへの手書き入力の手間を大幅に軽減することができる。また、イメージリーダ１１のサイズを比較的小さなサイズに留めることができるため、印刷装置１０の小型化が期待できる。
【００４７】
なお、各記載項目の印刷欄（罫線や欄名の表示など）の他、個々の伝票を区別するための伝票番号Ｓ３や、その伝票番号Ｓ３をコード化したバーコードＳ４は予め伝票に印刷（プリプリント）されているものであり、印刷手段２７（図２参照）によって印刷されるものではない。
【００４８】
また、操作入力部１５および印刷領域特定手段２５を省略し、印刷する項目を配送先項目または配送元項目どちらかに限定する構成でもよい。この構成によれば、印刷領域が常に固定されるので制御が簡易であるとともに、ユーザが印刷する項目を指定する手間を省くことが可能である。
【００４９】
さらに、読取った画像データのトリミングや、デコードしたテキストデータから印刷対象とするテキストデータを抽出する手段を備えた印刷装置１０を第２実施形態として、以下第１実施形態と異なる点を中心に説明する。図６に示すように、第２実施形態に係る印刷装置１０は、印刷領域特定手段２５の特定結果に基づいて、デコードしたテキストデータから印刷対象となるテキストデータを抽出する抽出手段２８と、イメージリーダ１１によって読取った画像データの一部を切り取るトリミング手段２９、および抽出手段２８がテキストデータを抽出する際に参照する識別情報を記憶する記憶手段３０をさらに備えている。
【００５０】
第２実施形態では、撮像対象物となる記載用紙には、宅配伝票用紙Ｓと同一のレイアウトで配送先情報および／または配送元情報が記載されていることを前提としており、印刷装置１０におけるイメージリーダ１１の撮像部１１ａのサイズは、宅配伝票用紙Ｓの配送先項目欄Ｓ１と配送元項目欄Ｓ２とを合わせた大きさとなっている。従って、本実施形態では、例えば撮像対象物として、前回利用分の宅配伝票を読取らせた場合、配送先項目欄Ｓ１と配送元項目欄Ｓ２とを１つの画像として読取ることが可能となる。
【００５１】
また、シンボル画像Ｂについても、第１実施形態で説明した、配送先情報または配送元情報がコード化されたシンボル画像Ｂに加えて、配送先情報および配送元情報の双方の情報をまとめてコード化したシンボル画像Ｂを読取ることが可能である。そして、操作入力部１５では、印刷する記載項目を「１．配送先情報および配送元情報」「２．配送先情報のみ」「３．配送元情報のみ」の３つの選択肢からいずれか１を選択可能である。
【００５２】
ところで、読取ったシンボル画像Ｂをデコードしたテキストデータには、各記載項目を識別するための識別子が含まれている。この識別子は、所定の記号、文字あるいは文字列によって表されるものである。そして本実施形態に係る印刷装置１０は、この識別子を検出するための識別情報をＲＯＭ上に記憶している（記憶手段３０）。抽出手段２８は、検出した識別子と識別情報を照合することにより、印刷領域特定手段２５によって印刷領域として特定された記載項目のテキストデータを、デコードしたテキストデータから抽出する。
【００５３】
また、トリミング手段は、印刷領域特定手段２５による特定結果に基づいて、イメージリーダ１１によって読取った画像データから、印刷領域として特定された記載項目の領域を、ＲＯＭ上に記憶した印刷領域情報を参照することにより切り取るものである。
【００５４】
そして、印刷データ生成手段２６は、抽出手段２８によって抽出されたテキストデータ、およびトリミング手段２９によって切り取られた画像データを、宅配伝票用紙Ｓの対応する領域に印刷するための印刷データを生成する。このように、第２実施形態に係る印刷装置１０では、印刷領域特定手段の特定結果に基づいて、読取った画像データやデコードしたテキストデータから必要なデータを抽出して印刷を行うことができるので、例えば前回利用分の宅配伝票を読取らせる場合や、配送先情報および配送元情報の双方が格納された、前回利用分のシンボル画像Ｂを再利用する場合において、配送先情報または配送元情報のみが変更するといったときに、新たに記載用紙やシンボル画像Ｂを作成する手間を省くことができるので便利である。
【００５５】
また、配送先項目および配送元項目といった複数の項目を印刷領域として特定する場合でも、１回の読取りでそれぞれ対応する領域に印刷を行うことができるので、非常に便利である。さらに、印刷項目として選択できる選択肢も広がるため、よりユーザのニーズに答えることができる。また、イメージリーダ１１のサイズを、宅配伝票全体を読取り可能に構成し、配送先情報や配送元情報に加え、宅配物に関する情報や、配送日時に関する情報など、宅配伝票の各記載項目に記載されている情報全てを、宅配伝票用紙Ｓの対応する項目欄に印刷可能に構成してもよい。
【００５６】
さらに、上記の印刷装置１０を携帯可能に構成し、集荷担当者が印刷装置１０を携行して、宅配物の集荷を行う構成としても良い。この構成により、利用者が店舗に宅配物を持ち込む場合だけでなく、宅配業者の集荷担当者が利用者宅に向かい集荷を行う場合でも、本印刷装置１０を利用することができる。
【００５７】
なお、印刷装置１０にタイマーを内蔵して宅配依頼の受付日時（宅配伝票の作成日時）を自動印刷してもよい。この構成によれば、さらに利用者若しくは集荷担当者による手書き入力の手間を削減することができる。
【００５８】
また、本印刷装置１０を、ＰＣ等の制御装置に接続して利用する構成でもよい。この構成により、例えば制御装置に複数の宅配業者の宅配伝票Ｓの形態に応じた印刷書式（伝票フォーマット）や印刷方式を記憶させ、利用者によって選択された業者の印刷書式や印刷方式で印刷を行うことができるので、１台の印刷装置で複数の宅配業者の配送受付処理を行うことができ便利である。但しこの場合、上述したプリプリント部分を含む宅配伝票用紙Ｓに印刷を行う場合には、印刷装置１０へ直接手差しで印刷媒体となる宅配伝票用紙Ｓを給紙する構成が好ましい。
【００５９】
さらにこの場合、デコード結果であるテキストデータを必要に応じて印刷装置１０若しくは制御装置等に記憶させる構成でもよい。この構成によれば、次回の宅配伝票用紙Ｓへの印刷利用時に、宅配情報が同様である場合（少なくとも配送先情報または配送元情報が同様であればよい）には、シンボル画像Ｂを必要とすることなく、記憶した前回の情報を再び利用することができる。この場合、電話番号等をパラメータとして記憶したテキストデータから該当するテキストデータを検索可能に構成することが好ましい。また、ＰＣまたは印刷装置のメモリ容量に余裕がある場合には、読取った画像データも記憶させる構成でもよい。この場合にも、後に検索可能なように記憶時にＩＤ等を付加して記憶することが好ましい。
【００６０】
さらに、本実施形態では印刷媒体として宅配伝票用紙Ｓを想定して説明を行ったが、宅配伝票用紙Ｓに限らず例えば医療用の検体ラベル、封筒、クレジットカード申込書といった様々な印刷媒体に印刷可能であり、これらに住所、氏名等を印刷する場合に便利である。
【００６１】
なお、上記の例に示した印刷装置１０の各部（各機能）をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【図面の簡単な説明】
【００６２】
【図１】本発明の一実施形態に係る印刷装置の外観斜視図である。
【図２】印刷装置の機能構成を示した機能ブロック図である。
【図３】印刷装置による印刷処理手順を示したフローチャートである。
【図４】宅配情報が記載された記載用紙の画像を読取った場合の宅配伝票用紙の印刷例を示す平面図である。
【図５】シンボル画像を読取った場合の宅配伝票用紙の印刷例を示す平面図である。
【図６】第２実施形態に係る印刷装置の機能構成を示した機能ブロック図である。
【符号の説明】
【００６３】
１０    印刷装置      １１  イメージリーダ    １２      ディスプレイ
１５    操作入力部    １７  制御部            ２３      判別手段    
２４    デコード手段  ２５  印刷領域特定手段  ２６  印刷データ生成手段
２７    印刷手段      ２８  抽出手段          ２９      トリミング手段
３０    記憶手段      Ｂ    シンボル画像      Ｓ        宅配伝票用紙
【図１】
2006142684.tif 000003
【図２】
2006142684.tif 000004
【図３】
2006142684.tif 000005
【図４】
2006142684.tif 000006
【図５】
2006142684.tif 000007
【図６】
2006142684.tif 000008